(57)【要約】【課題】性不全者用補助器具が使用者の陰茎部から脱落しやすいという問題を、点や線での脱落防止を考えるのではなくごく薄く長い筒によって全体として脱落を防止するものであって、亀頭に適度な刺激が与えられるため、勃起を促進し、かつ勃起状態の持続時間を長くすることが可能な性不全者用補助器具を提供する。【解決手段】いずれも伸縮性を有する素材によって形成された、中間に位置して亀頭部の近傍においてペニスの陰茎部を締め付けるためのプレスチューブと、前記プレスチューブの陰茎部側に連結され、前記プレスチューブよりもやや径を大きく形成されたホールドチューブと、前記プレスチューブの亀頭部側に連結され、前記プレスチューブよりもやや径を大きく形成されたリターンチューブとをそれぞれ備え、前記リターンチューブが反転して移動し、前記プレスチューブを越えてホールドチューブ部全体を覆うようにしたことを特徴とする性不全者用補助器具。【選択図】図１
2012016549.tif 000002
【特許請求の範囲】
【請求項１】
いずれも伸縮性を有する素材によって形成された、中間に位置して亀頭部の近傍においてペニスの陰茎部を締め付けるためのプレスチューブと、
前記プレスチューブの陰茎部側に連結され、前記プレスチューブよりもやや径を大きく形成されたホールドチューブと、
前記プレスチューブの亀頭部側に連結され、前記プレスチューブよりもやや径を大きく形成されたリターンチューブとをそれぞれ備え、
前記リターンチューブが反転して移動し、前記プレスチューブを越えてホールドチューブ部全体を覆うようにしたことを特徴とする性不全者用補助器具。
【請求項２】
前記プレスチューブが両側のホールドチューブおよびリターンチューブに影響されないように、前記両チューブとは別体でかつより強い弾性で保持できるよう形成されていることをも特徴とする請求項１記載の性不全者用補助器具。
【請求項３】
前記プレスチューブが、長さ方向の少なくとも亀頭部側の端部に小径部が形成されており、該小径部によってペニスから抜け落ちるのを防ぐようにしたことをも特徴とする請求項１記載の性不全者用補助器具。
【請求項４】
前記プレスチューブが、前記小径部として前記プレスチューブの長さ方向の両側端部に一対のリングが組み込まれており、その第１リングはペニスから抜け落ちるのを防ぎ、かつ他端の第２リングはペニスに密着して締め付けを行うようになっていることをも特徴とする請求項３記載の性不全者用補助器具。
【請求項５】
前記ホールドチューブは、側面に端部を開放したスリットを設けられており、ペニスへ容易に着脱することができ、しかも陰茎部上においてペニスの太さを助けるようになっていることをも特徴とする請求項１記載の性不全者用補助器具。
【請求項６】
前記ホールドチューブは、その長さ方向に所定の間隔で複数の折り曲げ部を設けられており、ペニスへ容易に着脱することができ、しかも陰茎部上においてペニスの太さを助けるようになっていることをも特徴とする請求項１記載の性不全者用補助器具。
【発明の詳細な説明】
【技術分野】
【０００１】
この発明は勃起から勃起不全まで、男性自身がどのような状態でも使用することができる性不全者用補助器具に関するものである。
【背景技術】
【０００２】
男性のセックスでは、サイズの問題、太さの問題、勃起力の減退など多くの悩みが深刻化している。この解決方法として補助具、サポーター類が多く用いられている。その大多数の人が亀頭部を露出させたサポーターを希望している。これは当然の希望ではあるが、これを製作することは非常に困難である。なぜならペニスにはこれを覆う包皮があるからである。
勃起の状態によっては５ｃｍ以上の移動を起こし、萎縮が振興するにつれて包皮だけが残ることになる。この包皮の外側に長さや太さを補うサポーターを装着させることは困難である。同じサポーターでもペニス全体を包むものは、亀頭部の締め付けや茎部根元の締め付けでサポーター内の空気を密封し、差圧を利用してペニスがサポーターに密着することにより抜け落ちないようにすることができる。
しかしながら、亀頭部露出型はこの物理的要因を利用することができず、サポーターの機能によって脱落を防ぐしかなかったのが実情である。
【０００３】
本発明者は特願平３−２９５０５０号（特開平５−１０３８０６号公報、特許文献１参照）において、筒状キャップ内に使用者の亀頭を収納したのち、巻き取った筒状本体を使用者の陰茎に巻き戻すとともに、筒状本体の上冠部を陰茎部側に裏返して使用者の亀頭を筒状本体の先端から露出させるようにしたことを特徴とするくい性不全者用補助器具であって、使用者の亀頭を刺激して不全の回復を早めることができ、しかも使用中に外れにくい性不全者用補助器具を提案している。
【０００４】
また、特願２００４−３９０８８号（特開２００５−２２４５４３号公報、特許文献２参照）においては、両端が開口した長さ方向にめくり上げることができる陰茎締付用内筒を用い、これに先端から亀頭を被覆する亀頭部と、亀頭部と連続して陰茎締付用内筒を被覆する陰茎部とを備えるとともに、他端を開口した、長さ方向にめくり上げることができる柔軟素材からなる外筒とを結合することにより、上記陰茎締付用内筒をめくり上げて使用者の陰茎にはめ込み、陰茎締付用内筒を引き伸ばして陰茎上に固着し、さらに前記外筒を開口部分からめくり上げ、亀頭および陰茎締付用内筒の先端の側から外筒を引き伸ばして順次内筒上に装着するようにした勃起不全用の性不全者用補助器具を提案している。
【特許文献１】特開平５−１０３８０６号公報
【特許文献２】特開２００５−２２４５４３号公報
【発明の開示】
【発明が解決しようとする課題】
【０００５】
しかしながら、いずれの性不全者用補助器具においても、勃起の状態では何ら問題ないが、勃起が不十分の状態になると、性不全者用補助器具が簡単に使用者の陰茎部から脱落してしまうという問題があった。
【０００６】
この発明の性不全者用補助器具は、既存の前記特許を発展させて新しいアイデアを加えることにより、これらの問題を解決することを目的として新規に設計、製作された製品である。
この発明の性不全者用補助器具の基本思想は、性不全者用補助器具が簡単に使用者の陰茎部から脱落してしまうという問題を、点や線での脱落防止を考えるのではなく、ごく薄く長い筒によって全体として脱落を防ぐように考え出したものであって、亀頭に適度な刺激が与えられるため、勃起者の勃起を促進し、かつ勃起状態の持続時間を長くすることが可能で、勃起不全（インポテント）の者の亀頭部充血と陰茎部の補助により性行為が可能となる性不全者用補助器具を提供しようとするものである。
【課題を解決するための手段】
【０００７】
すなわちこの発明の性不全者用補助器具は、いずれも伸縮性を有する素材によって形成された、中間に位置して亀頭部の近傍においてペニスの陰茎部を締め付けるためのプレスチューブと、
前記プレスチューブの陰茎部側に連結され、前記プレスチューブよりもやや径を大きく形成されたホールドチューブと、
前記プレスチューブの亀頭部側に連結され、前記プレスチューブよりもやや径を大きく形成されたリターンチューブとをそれぞれ備え、
前記リターンチューブが反転して移動し、前記プレスチューブを越えてホールドチューブ部全体を覆うようにしたことを特徴とするものである。
【０００８】
この発明の性不全者用補助器具において、前記プレスチューブは、両側のホールドチューブおよびリターンチューブに影響されないように、前記両チューブとは別体でかつより強い弾性で保持できるよう形成されていることをも特徴とするものである。
【０００９】
この発明の性不全者用補助器具において、前記プレスチューブは、長さ方向の少なくとも亀頭部側の端部に小径部が形成されており、該小径部によってペニスから抜け落ちるのを防ぐようにしたことをも特徴とするものである。
【００１０】
この発明の性不全者用補助器具において、前記プレスチューブは、前記小径部として前記プレスチューブの長さ方向の両側端部に一対のリングが組み込まれており、その第１リングはペニスから抜け落ちるのを防ぎ、かつ他端の第２リングはペニスに密着して締め付けを行うようになっていることをも特徴とするものである。
【００１１】
この発明の性不全者用補助器具において、前記ホールドチューブは、側面に端部を開放したスリットを設けられており、ペニスへ容易に着脱することができ、しかも陰茎部上においてペニスの太さを助けるようになっていることをも特徴とするものである。
【００１２】
この発明の性不全者用補助器具において、前記ホールドチューブは、その長さ方向に所定の間隔で複数の折り曲げ部を設けられており、ペニスへ容易に着脱することができ、しかも陰茎部上においてペニスの太さを助けるようになっていることをも特徴とするものである。
【００１３】
この発明の性不全者用補助器具は上述のように、次の３つのパーツからなるものである。
１）プレスチューブ（締め付け用）
両側のリターンチューブやホールドチューブに影響されないよう、独立した形で中間に位置して亀頭部の近傍においてペニスの陰茎部を締め付ける。
そして、前期プレスチューブは、薄肉のチューブの長さ方向の両側端部に２つのリングが別々に組み込まれており、亀頭部側の第１リングは抜け落ちるのを防ぎ、他端の第２リングはペニスに密着して締め付けを行う。
さらに、前記プレスチューブは両側のリターンチューブおよびホールドチューブに影響されないよう、前記両チューブとは別体に形成されている。
【００１４】
２）ホールドチューブ（固定型変形筒）
この発明の性不全者用補助器具の装着をスムーズにするため、一対のチューブがプレスチューブの両側に連結されているが、このホールドチューブは、拡げることによってプレスチューブをも開き、亀頭部を挿入、通過させて露出させ、かつ陰茎部への装着を行ってペニス茎部全体に巻き付くようになっている。
なお、このホールドチューブには締め付けの効果はほとんどなく、茎部に固定し、ペニスの太さを助けることを目的としている。
【００１５】
３）リターンチューブ（戻り筒）
このリターンチューブが外向きに反転してホールドチューブ部全体を覆う。
ａ．使用時に性不全者用補助器具の表面に位置し、外部との接触はこのリターンチューブが行うことになるので、性不全者用補助器具表面の柔かさを保つために、自社で開発したＣＲ２２１８シリコン（硬度８．）を使用することが望ましい。
ｂ．このリターンチューブには３つの役務がある。
≡）プレスチューブの第２リングの上を覆うことにより、リングの締め付ける力をさらに強力なものとする。
≡）ホールドチューブ全体を上から覆って圧力をかけることにより、ペニス、ホールドチューブ、リターンチューブが一体化し、ペニスからの脱落を防ぐ。
≡）その肉厚がペニス茎部、ホールドチューブの肉厚に加算され、理想のペニスサイズになるよう設計されている。
【発明の効果】
【００１６】
この発明の性不全者用補助器具は以上のように構成したので、勃起不全（インポテント）の態様が不明な場合であっても、亀頭に適度な刺激が与えられるため、勃起を促進し、かつ勃起状態の持続時間を長くすることが可能な性不全者用補助器具を提供することができる。
また、勃起不全（ＥＤ）の問題を解消して、十分な勃起常態を得ることが可能な性不全者用補助器具を提供することができる。
【００１７】
その他、装着時の操作が簡単で性行為を停滞させることがなく、また取り付けに際して固定バンドや固定テープなど、前記３つのパーツ以外の如何なる器具も使用していないため構造が単純で、取り付けや取り外しが１５秒〜２０秒で行なうことができる。
【図面の簡単な説明】
【００１８】
【図１】この発明の性不全者用補助器具の実施の形態を示す断面図である。
【図２】図１のＡ−Ａ断面図である。
【図３】プレスチューブとホールドチューブの連結部分の拡大断面図である。
【図４】ホールドチューブの拡大断面図である。
【図５】プレスチューブとリターンチューブの連結部分の拡大断面図である。
【図６】この発明の性不全者用補助器具をペニスに組み付ける手順を示し、（ａ）ははめ込む前の状態の概略断面図、（ｂ−１）はホールドチューブを拡げた状態の概略断面図、（ｂ−２）はプレスチューブを亀頭部を越えて陰茎上にはめ込んだ状態の概略断面図、（ｂ−３）はリターンチューブを反転してホールドチューブ部全体を覆うようにした状態の概略断面図である。
【図７】この発明の性不全者用補助器具に使用されるプレスチューブの例を示すものであり、（ａ）はプレスチューブの長さ方向の両側端部に２つのリングを組み込んだ状態の断面図、（ｂ）はプレスチューブの長さ方向の両側端部および中間位置にリングを組み込んだ状態の断面図、（ｃ）はプレスチューブの長さ方向の亀頭部側端部にリングを組み込んだ状態の断面図、（ｄ）はプレスチューブの長さ方向の亀頭部側端部に小径部を組み込んだ状態の断面図である。
【発明を実施するための最良の形態】
【００１９】
以下、この発明の性不全者用補助器具の実施の形態を図面に基いて詳細に説明する。
図１ないし図５に示すように、この発明の性不全者用補助器具は、いずれも伸縮性を有する素材によって形成された複数のパーツを有しており、まず第１には中間に位置して亀頭部の近傍においてペニスの陰茎部を締め付けるためのプレスチューブ１１と、次に前記プレスチューブ１１の陰茎部側に連結され、前記プレスチューブ１１よりもやや径を大きく形成されたホールドチューブ２１と、最後に前記プレスチューブ１１の亀頭部側に連結され、前記プレスチューブ１１よりもやや径を大きく形成されたリターンチューブ３１とを備えている。
前記各チューブ１１，２１および３１は、全体をゴム（生ゴム、シリコンゴム）、エラストマまたはラテックス等の長さ方向にめくり上げることができる柔軟性に富み、伸縮自在の素材で形成されている。そして素材は、使用者の精神的圧迫感を軽減するために透明ないし半透明か、または素材中に蓄光顔料が混練されていることが望ましい。
【００２０】
前記プレスチューブ１１は、両側のホールドチューブ２１およびリターンチューブ３１に影響されないよう、前記両チューブ２１，３１とは別体としてある。すなわち、伸縮性を有するとともに前記両チューブ２１，３１よりもより強い弾性で保持できるよう形成されている。
前記プレスチューブ１１が、両側のホールドチューブ２１およびリターンチューブ３１に比してより強い弾性で保持できるようにするためには、素材の剛性を高めたり、素材の伸縮力を高めることによって所望の保持力を得ることができる。例えば前記プレスチューブ１１、ホールドチューブ２１およびリターンチューブ３１を構成するシリコンゴム等の伸縮自在の素材の配合割合を変えたり、配合する成分を変えればよい。
【００２１】
前記プレスチューブ１１と両側のホールドチューブ２１およびリターンチューブ３１とは、それぞれ接着剤等を用いて連結することができる。もちろん、各チューブ１１，２１および３１において同質の素材を使用し、成形時に一体化してもよい。
【００２２】
前記プレスチューブ１１はまた、その長さ方向の少なくとも亀頭部側の端部に小径部１２が形成されている。そして該小径部１２によって前記プレスチューブ１１がペニスから抜け落ちるのを防ぐようにしてある。
前記プレスチューブ１１の前記小径部１２としては、例えば前記プレスチューブ１１の長さ方向の両側端部に組み込んだ一対のリング１２−１，１２−２とすることができ、もちろん該第１リング１２−１，第２リング１２−２は前記プレスチューブ１１と同質の素材を用いることが望ましい。
前記において亀頭部側の第１リング１２−１はペニスから抜け落ちるのを防ぐ機能を有し、かつ他端の陰茎部側の第２リング１２−２はペニスに密着して締め付けを行う機能を有するものである。
【００２３】
次に前記ホールドチューブ２１は、側面に端部を開放したスリット２２を設けられており、ペニスへ容易に着脱することができ、しかも陰茎部上においてペニスの太さを助けるようになっている。このスリット２２は前記ホールドチューブ２１の長さ方向に沿って対向する側壁に一対設けること望ましいが、スリット２２の数についてはなんら限定するものではない。
なお、前記プレスチューブ１１およびホールドチューブ２１としては、ゲルマニウムや磁石粉末等の血行を良くする素材を前記伸縮自在の素材に配合したものとすることも可能である。
【００２４】
前記リターンチューブ３１は、前記プレスチューブ１１側から先端の開口部に向けて末広がりのテーパ状に形成されている。したがって、前記リターンチューブ３１は反転しやすくなっており、開口部側から反転して前記プレスチューブ１１を越えてホールドチューブ３１部全体を覆うように移動させることができる。
このようにすれば、亀頭に適度な刺激が与えられるため、勃起を促進し、かつ勃起状態の持続時間を長くすることが可能であり、しかも勃起が不十分の状態になっても性不全者用補助器具が簡単に使用者の陰茎部から脱落してしまうという問題も解消することが可能となった。
【００２５】
次に図６に基いて、上記プレスチューブ１１、ホールドチューブ２１およびリターンチューブ３１からなる性不全者用補助器具の着脱操作について説明する。
先ずこの発明の性不全者用補助器具は、図６（ａ）のような初期状態で、前記プレスチューブ１１と両側のホールドチューブ２１およびリターンチューブ３１は直線状に並べられている。そして予めリターンチューブ３１の内面にはくまなくゼリーを塗布しておく。
【００２６】
前記初期状態の性不全者用補助器具は、図６（ｂ−１）のようにホールドチューブ２１を両指で大きく拡げ、勃起したペニス４１の亀頭部４２全面にゼリーを塗布した後、亀頭部４２が前記プレスチューブ１１をくぐり抜けるよう強く挿入する。
その際、前記プレスチューブ１１は図６（ｂ−２）のように、陰茎部４３上の亀頭部４２の根本部分に係合して当該陰茎部４３を押圧するので、ペニス４１の勃起状態が維持される。
【００２７】
その上で、前記ホールドチューブ２１を片手で押さえながら、前記リターンチューブ３１を開口部側から折り返して、ホールドチューブ２１上に引き下げ、図６（ｂ−３）のようにペニス４１上に被せることにより、ペニス４１上へのセットが完了する。
このように、ペニス４１が勃起、中折れ、萎縮のそれぞれの状態でペニス４１上への性不全者用補助器具の装着を完了させると、前記プレスチューブ１１が前記ホールドチューブ２１や前記リターンチューブ３１とは独立してペニス４１を締め付けるので、性不全者用補助器具が亀頭部４２から抜け落ちることはない。
【００２８】
図７は、この発明の性不全者用補助器具に使用されるプレスチューブ１１の例を示すものであり、（ａ）はプレスチューブ１１の長さ方向の両側端部に第１および第２の２つのリング１２−１，１２−２を組み込んだ状態を示している。
この例では、プレスチューブ１１へのリターンチューブ３１の連結位置を、第１のリング１２−１上よりも内側に移し、プレスチューブ１１の長さ方向のやや中ほどとしてあり、第１のリング１２−１の自由度を高めたものとしている。
【００２９】
図７（ｂ）は、プレスチューブ１１の長さ方向の両側端部の設けた第１および第２のリング１２−１，１２−２のみならず、中間位置にも第３のリング１２−３を組み込んだ状態を示すものである。
この例では、プレスチューブ１１の陰茎部４３の締め付け力をより向上させることができる。
【００３０】
図７（ｃ）は、プレスチューブ１１の長さ方向の亀頭部側端部にリング１２ａを組み込んだ状態を示すものである。もちろん、このように単一のリング１２ａを前記プレスチューブ１１の長さ方向の亀頭部側に設けただけでも、ペニス４１の勃起状態を維持しかつ亀頭部４２からの性不全者用補助器具の脱落防止効果は充分であった。
【００３１】
図７（ｄ）は、プレスチューブ１１の長さ方向の亀頭部側端部に小径部１２を組み込んだ状態を示すものである。このように小径部１２を前記プレスチューブ１１の長さ方向の亀頭部側に設けただけでも、ペニス４１の勃起状態を維持しかつ亀頭部４２からの性不全者用補助器具の脱落防止効果は充分であった。
なおこの図７（ｄ）において、前記ホールドチューブ２１は、その長さ方向に所定の間隔で複数の折り曲げ部２３を設けられており、したがって開口部から外側に向けて２回折り曲げ、その状態で両指で前記ホールドチューブ２１を拡げてペニスへ挿入した後、前記折り曲げ部２３を折り返すだけで容易に陰茎部へ装着することができる。
【００３２】
また、この発明の性不全者用補助器具において使用されるゴム（生ゴム、シリコンゴム）、エラストマまたはラテックス等は人間に対して無害であり、その上肌触りや弾力性、体感温度等において限りなく人間のペニスに近く製作されている。したがって相手女性は、如何なる違和感も感じず、自然性交と同じ満足感が得られる。同様にこの発明の性不全者用補助器具を装着した使用者は、密着性がよいため違和感を感じたり、重さによる負荷を感じることはない。
さらに使用後には洗剤入りの冷温水、煮沸消毒等が可能であり、材質、寸法変化もない。
【産業上の利用可能性】
【００３３】
この発明の性不全者用補助器具は、神経障害や糖尿病、高血圧などの肉体的不全や老齢を原因とする勃起不全（インポテント）の性機能障害を持った人でも使用できる。
さらに、亀頭を適度に刺激して充血を促し、萎縮した陰茎部に装着することにより、勃起不全の問題が解消でき、充分な勃起状態を得られることが判明した。
【符号の説明】
【００３４】
１１  プレスチューブ
１２  小径部
１２−１，１２−２，１２−３  リング
１２ａ  リング
２１  ホールドチューブ
２２  スリット
２３  折り曲げ部
３１  リターンチューブ
４１  ペニス
４２  亀頭部
４３  陰茎部
【図１】
2012016549.tif 000003
【図２】
2012016549.tif 000004
【図３】
2012016549.tif 000005
【図４】
2012016549.tif 000006
【図５】
2012016549.tif 000007
【図６】
2012016549.tif 000008
【図７】
2012016549.tif 000009
【手続補正書】
【提出日】平成22年7月12日(2010.7.12)
【手続補正１】
【補正対象書類名】図面
【補正対象項目名】図１
【補正方法】変更
【補正の内容】
【図１】
2012016549.tif 000010